【手続補正書】
【提出日】平成25年2月4日(2013.2.4)
【手続補正１】
【補正対象書類名】特許請求の範囲
【補正対象項目名】全文
【補正方法】変更
【補正の内容】
【特許請求の範囲】
【請求項１】
制御モジュールを含む第１の機器において、保存管理モジュールを含む第２の機器からメディアデータにアクセスし、かつ、第３の機器で前記メディアデータを再生するための要求を第１の遠隔ユーザアクセス機器から受信することであって、前記保存管理モジュールは、データベースを含み、前記第１の機器は、前記第２の機器から離れて配置されており、前記第２の機器は、前記第１の遠隔ユーザアクセス機器における第１の遠隔識別子（ＩＤ）に基づいて、前記要求を認めるか否かを決定する、ことと、
アクセスが認められる場合、前記第３の機器と前記第２の機器との間で第１のデータストリームを開くことであって、前記第３の機器は、前記メディアデータを復号するビデオ複号器を含む再生モジュールを含み、前記再生モジュールは、前記メディアデータを再生する少なくとも１つのメディアアプリケーションを動作させるように構成されており、前記第３の機器は、前記第１の機器および前記第２の機器から離れて配置されている、ことと、
前記第３の機器において前記メディアデータを受信することと、
前記再生モジュールにおいて前記少なくとも１つのメディアアプリケーションを動作させ、前記再生モジュールの前記ビデオ復号器を用いることによって前記受信されたメディアデータを復号および再生することと
を含む、方法。
【請求項２】
前記要求が前記制御モジュールにおいて受信された後に、前記制御モジュールにおいて前記要求を処理することをさらに含む、請求項１に記載の方法。
【請求項３】
第１のユーザを決定するために、前記制御モジュールにおいて前記第１の遠隔識別子（ＩＤ）を分析することをさらに含む、請求項１に記載の方法。
【請求項４】
第１の遠隔識別子（ＩＤ）に基づいて、第１のユーザが前記メディアデータへのアクセスを要求していることを決定することは、
前記第１の遠隔ユーザアクセス機器から第１の遠隔制御データを受信することと、
前記第１の遠隔制御データから前記第１の遠隔識別子（ＩＤ）を抽出することと、
前記第１の遠隔識別子（ＩＤ）を前記第１のユーザと相関させる索引表にアクセスすることと
を含む、請求項１に記載の方法。
【請求項５】
前記制御モジュールにおいて、前記保存管理モジュールから前記メディアデータにアクセスするための第２の要求を第２の遠隔ユーザアクセス機器から受信することと、
前記制御モジュールにおいて、第２の遠隔識別子（ＩＤ）に基づいて、第２のユーザが前記メディアデータへのアクセスを要求していることを決定することと、
前記再生モジュールと前記保存管理モジュールとの間で第２のデータストリームを開くことと、
前記再生モジュールにおいて前記メディアデータを受信することと
をさらに含む、請求項１に記載の方法。
【請求項６】
前記第２の遠隔識別子（ＩＤ）に基づいて、前記第２のユーザが前記メディアデータへのアクセスを要求していることを決定することは、
前記第２の遠隔ユーザアクセス機器から第２の遠隔制御データを受信することと、
前記第２の遠隔制御データを抽出することと、
前記第２の遠隔識別子（ＩＤ）を前記第２のユーザと相関させる索引表にアクセスすることと
を含む、請求項５に記載の方法。
【請求項７】
制御モジュールを含む第１の機器において、保存管理モジュールを含む第２の機器からデジタルメディアデータにアクセスし、かつ、前記デジタルメディアデータを第３の機器に送達するための要求を第１の遠隔ユーザアクセス機器から受信することであって、前記第１の機器は、前記第２の機器から離れて配置されており、前記第２の機器は、前記第１の遠隔ユーザアクセス機器における遠隔識別子（ＩＤ）に基づいて、ユーザがアクセスしたか否かを決定する、ことと、
第１のユーザが前記デジタルメディアデータを受信するように許可されているという決定に応答して、前記第３の機器と前記第２の機器との間でデータストリームを開き、かつ、前記第３の機器において前記デジタルメディアデータを受信することであって、前記第３の機器は、再生モジュールを含み、前記再生モジュールは、前記デジタルメディアデータを復号する復号器を含む、ことと
を含む、方法。
【請求項８】
制御モジュールを含む第１の機器において、保存管理モジュールを含む第２の機器からデジタルメディアオブジェクトにアクセスし、かつ、前記デジタルメディアオブジェクトを第３の機器に送達するための要求を第１の遠隔ユーザアクセス機器から受信することであって、前記保存管理モジュールは、ビデオオブジェクト、音響オブジェクト、画像オブジェクトを含む複数の異なるタイプのデジタルメディアオブジェクトを保存し、前記複数のデジタルメディアオブジェクトの各々は、前記メディアオブジェクトのそれぞれのタイプに基づいて編成されており、前記第１の機器は、前記第２の機器から離れて配置されており、前記第２の機器は、前記第１の遠隔ユーザアクセス機器における第１の遠隔識別子（ＩＤ）に基づいて、前記要求を認めるか否かを決定する、ことと、
第１のユーザが第１のデジタルメディアオブジェクトを受信するように許可されているという決定に応答して、前記第３の機器と前記第２の機器との間でデータストリームを開き、前記第３の機器において前記第１のデジタルメディアオブジェクトを受信し、再生モジュールにおいて第１のメディアアプリケーションを動作させることであって、前記第３の機器は、前記再生モジュールを含み、前記第１のメディアアプリケーションは、前記第１のデジタルメディアオブジェクトを再生するためのものであり、前記再生モジュールは、前記第１のデジタルメディアオブジェクトを復号する復号器を含む、ことと
を含む、方法。
【請求項９】
前記制御モジュールにおいて、前記保存管理モジュールから第２のデジタルメディアオブジェクトにアクセスするための要求を第２の遠隔ユーザアクセス機器から受信することと、
第２の遠隔識別子（ＩＤ）に基づいて、第２のユーザが前記第２のデジタルメディアオブジェクトを受信するように許可されているか否かを決定することと、
前記第２のユーザが前記第２のデジタルメディアオブジェクトを受信するように許可されているという決定に応答して、前記再生モジュールと前記保存管理モジュールとの間でデータストリームを開き、前記再生モジュールにおいて前記第２のデジタルメディアオブジェクトを受信し、前記再生モジュールにおいて第２のメディアアプリケーションを動作させることであって、前記第２のメディアアプリケーションは、前記第２のデジタルメディアオブジェクトを再生するためのものである、ことと
をさらに含み、
前記再生モジュールは、前記第１のメディアアプリケーションと前記第２のメディアアプリケーションとを同時に動作させ、その結果、前記第１のメディアオブジェクトと前記第２のメディアオブジェクトとが、同時に再生される、請求項８に記載の方法。
【請求項１０】
メディアシステムであって、前記メディアシステムは、
制御モジュールと、
保存管理モジュールと、
再生モジュールと
を含み、
前記制御モジュールは、
第１のユーザに関連付けられている第１の遠隔識別子（ＩＤ）と、第１の遠隔機器からメディアデータにアクセスし、かつ、前記再生モジュールで前記メディアを再生するための要求とを受信する手段と、
前記メディアデータへのアクセスのための前記要求を前記保存管理モジュールに送信する手段と
を含み、
前記保存管理モジュールは、
前記メディアデータへのアクセスのための前記要求を前記制御モジュールから受信する手段と、
前記メディアデータをデータベースに保存する手段と、
前記第１の遠隔機器における前記第１の遠隔識別子（ＩＤ）に基づいて、前記第１のユーザが前記メディアデータにアクセスするように許可されているか否かを決定する手段と、
前記メディアデータを前記再生モジュールに送信する手段であって、前記保存管理モジュールは、前記制御モジュールから離れて配置されている、手段と
を含み、
前記再生モジュールは、
前記保存管理モジュールから送信された前記メディアデータを受信する手段と、
前記受信されたメディアデータを復号および再生する手段であって、前記再生モジュールは、前記制御モジュールおよび前記保存管理モジュールから離れて配置されている、手段と
を含む、メディアシステム。